(57)【要約】【課題】  インテリアゾーンとペリメータゾーンのいずれにも設置することができるうえ、施工が容易でコストダウンが図れる空調吹出口ユニットを提供する。【解決手段】  空調吹出口ユニット１０は、上面に給気口１ａを有し 、下面に開口部１ｂを有する略箱形状のチャンバー１と、一方の端部がチャンバー１の開口部１ｂに接続され、他方の端部が拡開状に形成された吹出口２ａを有する外コーン２と、 拡開状に形成された複数の 案内羽根５ａ…を有し、外コーン２の吹出口２ａ に配置される中コーン３と、外コーン２の吹出口２ａの一部を選択的に塞ぐようにチャンバー１内に配設される一対の水平遮蔽板４ａ、４ａおよび傾斜遮蔽板４ｂとを備えている。【選択図】      図１
2005331184.tif 000002
【特許請求の範囲】
【請求項１】
一の面に給気口を有し、他の面に開口部を有する略箱形状のチャンバーと、一方の端部が当該チャンバーの開口部に接続され、他方の端部が拡開状に形成された吹出口を有する外コーンと、拡開状に形成された複数の案内羽根を有し、前記外コーンの吹出口に配置される中コーンとを備える空調吹出口ユニットにおいて、
前記外コーンの吹出口の一部を選択的に塞ぐ遮蔽板が、前記チャンバー内に備えられていることを特徴とする空調吹出口ユニット。
【請求項２】
前記遮蔽板は、水平面内に設置される水平遮蔽板および水平面に対して所定の角度を有して設置される傾斜遮蔽板の少なくとも一方からなることを特徴とする請求項１に記載の空調吹出口ユニット。
【請求項３】
前記遮蔽板には、風切音の発生を防止する風切防音シートが装着されていることを特徴とする請求項１または２に記載の空調吹出口ユニット。
【請求項４】
天井ボードに形成された開口部の外周部に、前記外コーンの吹出口の外縁部が一体的に取り付けられていることを特徴とする請求項１乃至３のいずれかに記載の空調吹出口ユニット。
【発明の詳細な説明】
【技術分野】
【０００１】
本発明は、建物の天井に設置される空調吹出口ユニットに関する。
【背景技術】
【０００２】
近年、事務所ビルなどでは、機能美や施工性の観点から、照明機器と空調吹出口などが一体化されたシステム天井が増加している。このようなシステム天井では、ディフューザーと呼ばれる空調吹出口（例えば、特許文献１参照。）が多く用いられる。ディフューザーには、インテリアゾーン用のディフューザーとペリメータゾーン（建物の外周付近）用のディフューザーがあり、インテリアゾーンには吹出気流の指向性が比較的弱いディフューザーが、ペリメータゾーンには吹出気流の指向性が強いディフューザーがそれぞれ設置される。特に、ペリメータゾーン用のディフューザーには、底面が細長い形状をしたラインディフューザーが一般的に用いられる。
【特許文献１】特開平１０−２２７５１７号公報  （第２−３頁、第１図）
【発明の開示】
【発明が解決しようとする課題】
【０００３】
しかしながら、ラインディフューザーをグリッドシステム天井に用いた場合、ラインディフューザーがグリッドを跨ぐことになるため、施工に手間がかかり、コストアップの要因となっていた。加えて、インテリアゾーンとペリメータゾーンで仕様の異なるディフューザーを設置する必要があるため、この点も施工性やコストアップの一因となっていた。
本発明は、上述する問題点に鑑みてなされたもので、インテリアゾーンとペリメータゾーンのいずれにも設置することができるうえ、施工が容易でコストダウンが図れる空調吹出口ユニットを提供することを目的とする。
【課題を解決するための手段】
【０００４】
上記目的を達成するため、本発明に係る空調吹出口ユニットでは、一の面に給気口を有し 、他の面に開口部を有する 略箱形状のチャンバーと、一方の端部が当該チャンバーの開口部に接続され、他方の端部が拡開状に形成された吹出口を有する外コーンと、 拡開状に形成された複数の 案内羽根を有し、前記外コーンの吹出口 に配置される中コーンとを備える空調吹出口ユニットにおいて、前記外コーンの吹出口の一部を選択的に塞ぐ遮蔽板が、前記チャンバー内に備えられていることを特徴とする。
本発明では、チャンバー内に遮蔽板を設け、当該遮蔽板の配置を変化させて、外コーンの吹出口の一部を選択的に塞ぐことにより、インテリアゾーンとペリメータゾーンそれぞれに適した調和空気の吹出方向および風量を設定することができる。即ち、インテリアゾーンとペリメータゾーンのいずれにも設置することができる空調吹出口ユニットが可能となる。その結果、施工が容易となり、コストダウンを図ることができる。
加えて、本発明では、ゾーンに係わらず同形状の空調吹出口ユニットでよいため、統一感のある天井面を実現することができる。
【０００５】
また、本発明に係る空調吹出口ユニットでは、前記遮蔽板は、水平面内に設置される水平遮蔽板および水平面に対して所定の角度を有して設置される傾斜遮蔽板の少なくとも一方からなっていることが好ましい。
本発明では、水平遮蔽板と傾斜遮蔽板を組み合わせることにより、調和空気の吹出方向および風量をきめ細かく設定することができる。
【０００６】
また、本発明に係る空調吹出口ユニットでは、前記遮蔽板には、風切音の発生を防止する風切防音シートが装着されていてもよい。
本発明では、風切防音シートを遮蔽板に装着することにより、調和空気が遮蔽板のきわを通過するときに発生する風切音を防止することができる。
【０００７】
また、本発明に係る空調吹出口ユニットでは、天井ボードに形成された開口部の外周部に、前記外コーンの吹出口の外縁部が一体的に取り付けられていてもよい。
本発明では、天井ボードに外コーンが一体的に取り付けられているため、吹出口用の開口を天井ボードに設ける工事が不要となる。その結果、施工性が向上し、しかも、廃材を大幅に削減することができる。
【発明の効果】
【０００８】
本発明によれば、チャンバー内に遮蔽板を設け、当該遮蔽板の配置を変化させて、外コーンの吹出口の一部を選択的に塞ぐことにより、インテリアゾーンとペリメータゾーンのいずれにも設置することが可能な空調吹出口ユニットを実現することができる。その結果、施工が容易となり、コストダウンを図ることができる。
加えて、本発明によれば、ゾーンに係わらず同形状の空調吹出口ユニットでよいため、統一感のある天井面を実現することができる。
【発明を実施するための最良の形態】
【０００９】
以下、本発明に係る空調吹出口ユニットの実施形態について図面に基いて説明する。
図１は、本発明に係る空調吹出口ユニットの第一の実施形態を示し、（ａ）は底面図、（ｂ）はＡ−Ａ矢視断面図、（ｃ）はＢ−Ｂ矢視断面図である。
本実施形態による空調吹出口ユニット１０は、上面に給気口１ａを有し 、下面に開口部１ｂを有する略箱形状のチャンバー１と、一方の端部がチャンバー１の開口部１ｂに接続され、他方の端部が拡開状に形成された吹出口２ａを有する外コーン２と、 拡開状に形成された複数の 案内羽根５ａ…を有し、外コーン２の吹出口２ａ に配置される中コーン３と、外コーン２の吹出口２ａの一部を選択的に塞ぐようにチャンバー１内に配設される一対の水平遮蔽板４ａ、４ａおよび傾斜遮蔽板４ｂとを備えている。
【００１０】
チャンバー１の給気口１ａには空調用ダクト７が接続され、図示しない空調機器より調和空気が供給される。
また、結露を防ぐために、鋼板製のチャンバー１の外面はポリエチレンで被覆されている。
【００１１】
外コーン２の吹出口２ａの外縁部２ｂは、平面視矩形状の天井ボード８の中央部に形成された開口部の外周部に一体的に取り付けられている。これにより、吹出口２ａ用の開口を天井ボード８に設ける工事が不要となる。その結果、施工性が向上し、しかも、廃材を大幅に削減することができる。
【００１２】
中コーン３は、外コーン２の吹出口２ａよりもひと回り小さな矩形状の枠体５の内方に、さらに小さな矩形状の枠体５が多重に配された構成をしている。そして、枠体５の室内に面する部分は、拡開状に形成されて案内羽根５ａとなっている。
また、中コーン３は、棒状の保持部材３ａ、３ａを備えており、保持部材３ａ、３ａを介して外コーン２に着脱自在に保持される機構となっている。
【００１３】
一対の水平遮蔽板４ａ、４ａは、平面視矩形状であって、チャンバー１の対向する長辺にそれぞれ基端部を支持されて、チャンバー１内に水平に突出している。また、傾斜遮蔽板４ｂは、平面視矩形状であって、水平面に対して所定の角度を有してチャンバー１の一方の短辺に基端部を支持され、チャンバー１内に斜め下方に突出している。
これにより、外コーン２の吹出口２ａの長辺側の両端部が水平遮蔽板４ａ、４ａによって塞がれるとともに、外コーン２の吹出口２ａの短辺側の一方の端部が傾斜遮蔽板４ｂによって塞がれることになる（図１（ａ）参照）。従って、空調用ダクト７を介して供給された調和空気は、長辺側水平２方向Ｌ、Ｌと短辺側水平１方向Ｓの計３方向から吹出すことになる。
なお、水平遮蔽板４ａ、４ａおよび傾斜遮蔽板４ｂの先端部には、それぞれナイロン製の風切音防止シート６が装着されている。
【００１４】
図２は、本発明に係る空調吹出口ユニットの第二の実施形態を示し、（ａ）は底面図、（ｂ）はＡ−Ａ矢視断面図、（ｃ）はＢ−Ｂ矢視断面図である。
本実施形態による空調吹出口ユニット２０は、水平遮蔽板４ａ、４ａおよび傾斜遮蔽板４ｂの配置を除いて第一の実施形態に同じである。本実施形態では、水平遮蔽板４ａが、チャンバー１の一方の長辺に基端部を水平に支持されて、チャンバー１内に水平に突出している。また、傾斜遮蔽板４ｂが、水平面に対して所定の角度を有して他方の長辺に基端部を支持されて、チャンバー１内に斜め下方に突出している。
これにより、外コーン２の吹出口２ａの長辺側の略半分が傾斜遮蔽板４ｂによって塞がれるとともに、他方の長辺側の端部が水平遮蔽板４ａによって塞がれることになる（図２（ａ）参照）。従って、空調用ダクト７を介して供給された調和空気は、長辺側水平１方向Ｌと短辺側水平２方向Ｓ、Ｓの計３方向から吹出すことになる。
【００１５】
図３は、本発明に係る空調吹出口ユニットの第三の実施形態を示し、（ａ）は底面図、（ｂ）はＡ−Ａ矢視断面図、（ｃ）はＢ−Ｂ矢視断面図である。
本実施形態による空調吹出口ユニット３０は、傾斜遮蔽板４ｂを備えていない点で第一の実施形態と異なる。本実施形態では、一対の水平遮蔽板４ａ、４ａが、チャンバー１の対向する長辺にそれぞれ基端部を水平に支持されて、チャンバー１内に水平に突出している。
これにより、外コーン２の吹出口２ａの長辺側の両端部が水平遮蔽板４ａ、４ａによって塞がれることになる（図３（ａ）参照）。従って、空調用ダクト７を介して供給された調和空気は、長辺側水平２方向Ｌ、Ｌと短辺側水平２方向Ｓ、Ｓの計４方向から吹出すことになる。
【００１６】
次に、上記各実施形態ごとの天井設置パターンについて説明する。
図４（ａ）は、第一の実施形態に係る空調吹出口ユニット１０を窓Ｗ際の天井に設置した場合を、図４（ｂ）は、第二の実施形態に係る空調吹出口ユニット２０を窓Ｗ際の天井に設置した場合をそれぞれ示しており、いずれの場合も窓Ｗに向かって調和空気が吹出すように天井に設置される。ここで、空調吹出口ユニット１０、１０間の間隔および空調吹出口ユニット２０、２０間の間隔は、いずれも１８００ｍｍ程度である。また、図示していないが、空調吹出口ユニット１０、２０の長辺側にはそれぞれ照明装置が配置される。
従来のように、窓Ｗ際の天井にラインディフューザーを設置した場合、窓Ｗ側に違和感がでるうえ、施工も複雑であったが、本実施形態によれば、よりシステマチックなレイアウトで、施工も容易である。
【００１７】
また、図５は、第三の実施形態に係る空調吹出口ユニット３０をコーナー部Ｃの天井に設置した場合を示す。
なお、インテリアゾーンの場合は、水平４方向吹出パターンを有する第三の実施形態に係る空調吹出口ユニット３０を天井に設置すればよい。
【００１８】
本実施形態による空調吹出口ユニット１０、２０、３０では、チャンバー１内に水平遮蔽板４ａ、４ａおよび傾斜遮蔽板４ｂを設け、水平遮蔽板４ａ、４ａおよび傾斜遮蔽板４ｂの配置を変化させて、外コーン２の吹出口２ａの一部を選択的に塞ぐことにより、インテリアゾーンとペリメータゾーンそれぞれに適した調和空気の吹出方向および風量を設定することができる。即ち、インテリアゾーンとペリメータゾーンのいずれにも設置することができる空調吹出口ユニットが可能となる。その結果、施工が容易となり、コストダウンを図ることができる。
加えて、本実施形態による空調吹出口ユニット１０、２０、３０では、ゾーンに係わらず同形状の空調吹出口ユニットでよいため、統一感のある天井面を実現することができる。
【００１９】
以上、本発明に係る空調吹出口ユニットの実施形態について説明したが、本発明は上記の実施形態に限定されるものではなく、その趣旨を逸脱しない範囲で適宜変更可能である。例えば、上記の実施形態では、給気口がチャンバーの中央部に設けられているが、偏心していてもよい。
【図面の簡単な説明】
【００２０】
【図１】本発明に係る空調吹出口ユニットの第一の実施形態を示し、（ａ）は底面図、（ｂ）はＡ−Ａ矢視断面図、（ｃ）はＢ−Ｂ矢視断面図である。
【図２】本発明に係る空調吹出口ユニットの第二の実施形態を示し、（ａ）は底面図、（ｂ）はＡ−Ａ矢視断面図、（ｃ）はＢ−Ｂ矢視断面図である。
【図３】本発明に係る空調吹出口ユニットの第三の実施形態を示し、（ａ）は底面図、（ｂ）はＡ−Ａ矢視断面図、（ｃ）はＢ−Ｂ矢視断面図である。
【図４】各実施形態ごとの天井設置パターンを示す概念図であり、（ａ）は第一の実施形態に係る空調吹出口ユニットを窓際の天井に設置した場合、（ｂ）は第二の実施形態に係る空調吹出口ユニットを窓際の天井に設置した場合である。
【図５】同、第三の実施形態に係る空調吹出口ユニットをコーナー部の天井に設置した場合である。
【符号の説明】
【００２１】
１  チャンバー
２  外コーン
３  中コーン
４ａ  水平遮蔽板
４ｂ  傾斜遮蔽板
５  枠体
５ａ   案内羽根
６  風切音防止シート
７  空調用ダクト
８  天井ボード
１０、２０、３０  空調吹出口ユニット
【図１】
2005331184.tif 000003
【図２】
2005331184.tif 000004
【図３】
2005331184.tif 000005
【図４】
2005331184.tif 000006
【図５】
2005331184.tif 000007